(57)【要約】【課題】鋼板張断熱パネルは様々な建築物の壁材として用いられているが、従来の鋼板張断熱パネルを畜舎、食品を取り扱う工場や倉庫等の壁材として使用した場合、害虫や害獣が侵入したり、カビが発生したりし、衛生面上大きな課題を有していた。【解決手段】厚さＴと、厚さＴよりも大きい幅Ｗと、幅Ｗよりも大きい長さＬを有する矩形板状の断熱材１２と、断熱材１２の厚さ方向の両面に取着された鋼板１４とを有し、断熱材１２が、防虫剤、防カビ剤および脱酸素剤からなる群から選択された少なくとも１種を含有してなる鋼板張断熱パネルにより、前記課題を解決した。【選択図】図１
2015074936.tif 000002
【特許請求の範囲】
【請求項１】
厚さと、厚さよりも大きい幅と、幅よりも大きい長さを有する矩形板状の断熱材と、前記断熱材の厚さ方向の両面に取着された鋼板とを有する鋼板張断熱パネルであって、
前記断熱材が、防虫剤、防カビ剤および脱酸素剤からなる群から選択された少なくとも１種を含有してなることを特徴とする鋼板張断熱パネル。
【請求項２】
前記断熱材は、前記長さ方向において複数に分割された分割体からなり、
前記各分割体は、前記鋼板が取着される一対の側面と、前記一対の側面を接続し隣り合う前記分割体に合わされる一対の端面とを有し、
前記一対の端面に虫、動物侵入防止手段が取着されている
ことを特徴とする請求項１記載の鋼板張断熱パネル。
【請求項３】
前記虫、動物侵入防止手段が、虫、動物侵入防止網である
ことを特徴とする請求項２記載の鋼板張断熱パネル。
【請求項４】
前記虫、動物侵入防止手段が、虫、動物侵入防止膜である
ことを特徴とする請求項２記載の鋼板張断熱パネル。
【請求項５】
前記断熱材が、防虫剤、防カビ剤および脱酸素剤のすべてを含有してなることを特徴とする請求項１〜４のいずれかに記載の鋼板張断熱パネル。
【請求項６】
前記脱酸素剤が、前記断熱材中に包埋されていることを特徴とする請求項１〜５のいずれかに記載の鋼板張断熱パネル。
【請求項７】
請求項１〜６のいずれかに記載の鋼板張断熱パネルを、外壁材、内壁材および／または屋根材として用いてなる建築物。
【発明の詳細な説明】
【技術分野】
【０００１】
本発明は、建築物の壁材等に用いられる鋼板張断熱パネルに関する。
【背景技術】
【０００２】
現在、断熱材に塗装鋼板を張った鋼板張断熱パネルは（特許文献１）、様々な建築物の壁材として用いられている。
従来の鋼板張断熱パネルは、屋外側の鋼板と屋内側の鋼板との間に発泡ウレタン等の断熱材を挿入して構成される。また、屋外側の鋼板の外気と接する表面には、日射による熱を遮断する遮熱塗装等が施される。
しかし、従来の鋼板張断熱パネルを畜舎、食品を取り扱う工場や倉庫等の壁材として使用した場合、害虫や害獣が侵入したり、カビが発生したりし、衛生面上大きな課題を有していた。
【先行技術文献】
【特許文献】
【０００３】
【特許文献１】特開平１０−００２０５０号公報
【発明の概要】
【発明が解決しようとする課題】
【０００４】
したがって本発明の目的は、害虫、害獣の侵入やカビの発生を抑制できる鋼板張断熱パネルを提供することにある。
【課題を解決するための手段】
【０００５】
本発明者の検討によれば、従来の鋼板張断熱パネルの有する上記問題点は、鋼板に接していない鋼板張断熱パネルの端面側から害虫および害獣が侵入し、鋼板間に挿入されたウレタンフォーム等の断熱材をこれらが食すこと、また、従来の鋼板張断熱パネルは防カビ対策を全く講じていないことが原因であることを突き止めた。そこで本発明者は、断熱材に防虫剤、防カビ剤および脱酸素剤からなる群から選択された少なくとも１種を導入し、好ましくは、断熱材を複数に分割された分割体から構成し、鋼板に接していない断熱材の端面に、害虫や害獣の侵入を防止する特定手段を設けることにより、上記問題点を解決できることを見出し、本発明を完成した。
【０００６】
すなわち請求項１に記載の発明は、厚さと、厚さよりも大きい幅と、幅よりも大きい長さを有する矩形板状の断熱材と、前記断熱材の厚さ方向の両面に取着された鋼板とを有する鋼板張断熱パネルであって、前記断熱材が、防虫剤、防カビ剤および脱酸素剤からなる群から選択された少なくとも１種を含有してなることを特徴とする鋼板張断熱パネルである。
請求項２に記載の発明は、前記断熱材は、前記長さ方向において複数に分割された分割体からなり、前記各分割体は、前記鋼板が取着される一対の側面と、前記一対の側面を接続し隣り合う前記分割体に合わされる一対の端面とを有し、前記一対の端面に虫、動物侵入防止手段が取着されていることを特徴とする請求項１記載の鋼板張断熱パネルである。
請求項３に記載の発明は、前記虫、動物侵入防止手段が、虫、動物侵入防止網であることを特徴とする請求項２記載の鋼板張断熱パネルである。
請求項４に記載の発明は、前記虫、動物侵入防止手段が、虫、動物侵入防止膜であることを特徴とする請求項２記載の鋼板張断熱パネルである。
請求項５に記載の発明は、前記断熱材が、防虫剤、防カビ剤および脱酸素剤のすべてを含有してなることを特徴とする請求項１〜４のいずれかに記載の鋼板張断熱パネルである。
請求項６に記載の発明は、前記脱酸素剤が、前記断熱材中に包埋されていることを特徴とする請求項１〜５のいずれかに記載の鋼板張断熱パネルである。
請求項７に記載の発明は、請求項１〜６のいずれかに記載の鋼板張断熱パネルを、外壁材、内壁材および／または屋根材として用いてなる建築物である。
【発明の効果】
【０００７】
本発明の鋼板張断熱パネルは、断熱材に防虫剤、防カビ剤および脱酸素剤からなる群から選択された少なくとも１種を導入しているため、鋼板に接していない鋼板張断熱パネルの端面側からの害虫および害獣の侵入を防止できるとともに、断熱材のカビの発生を有効に防止できる。
また、断熱材を複数に分割された分割体から構成し、鋼板に接していない断熱材の端面に、害虫や害獣の侵入を防止する手段を設ける形態では、害虫および害獣の侵入をさらに防止可能となる。
また、断熱材に、防虫剤、防カビ剤および脱酸素剤のすべてを含有する形態では、害虫および害獣の侵入の防止効果およびカビの発生の防止効果をさらに高めることができる。
また、脱酸素剤を断熱材中に包埋する形態では、害虫および害獣の侵入の防止効果およびカビの発生の防止効果をさらに高めることができる。
本発明の鋼板張断熱パネルを、外壁材、内壁材および／または屋根材として用いてなる建築物、とくに畜舎、食品を取り扱う工場や倉庫等は、害虫および害獣の侵入を防止できるとともに、断熱材のカビの発生を有効に防止できる。
【図面の簡単な説明】
【０００８】
【図１】本発明の鋼板張断熱パネルの一実施形態を説明するための斜視図（Ａ）および分解斜視図（Ｂ）である。
【図２】本発明の鋼板張断熱パネルの別の実施形態を説明するための斜視図（Ａ）および分解斜視図（Ｂ）である。
【図３】脱酸素剤が断熱材中に包埋されている形態を説明するための図である。
【発明を実施するための形態】
【０００９】
実施の形態１
以下、図面を参照しながら本発明の鋼板張断熱パネルをさらに説明する。
図１は、本発明の鋼板張断熱パネルの本実施の形態１を説明するための斜視図（Ａ）および分解斜視図（Ｂ）である。
図１（Ａ）において、本実施の形態１の鋼板張断熱パネル１０は、矩形板状の断熱材１２と、２枚の鋼板１４とを含んで構成されている。
断熱材１２は、厚さＴと、厚さＴよりも大きい幅Ｗと、幅Ｗよりも大きい長さＬを有する矩形板状を呈している。
したがって、断熱材１２は、図１（Ｂ）に示すように、厚さＴ方向の両端に位置する一対の面１２０２と、幅Ｗ方向の両端に位置する一対の側面１２０４と、長さＬ方向の両端に位置する一対の端面１２０６とを有している。
２枚の鋼板１４は、厚さＴ方向の両端に位置する一対の面１２０２に取着されてなり、鋼板１４の大きさは、断熱材１２の面１２０２と同一の大きさで形成されている。
【００１０】
断熱材１２の形成材料としては、鉱物繊維系材料として、グラスウール、ロックウール、セラミックファイバー等が、発泡樹脂系材料として発泡ポリウレタン、発泡ポリスチレン、発泡ポリエチレン、発泡イソシアネート等が、自然素材系材料として炭化コルク、セルロースファイバー、ウール等が挙げられる。本発明では、害虫や害獣の侵入防止、カビの発生防止という本発明の効果が有効に発揮されるという観点から、発泡樹脂系材料または自然素材系材料を使用するのが好ましい。
【００１１】
また、防虫剤、防カビ剤としては、従来公知のものの中から適宜選択すればよいが、環境負荷の少ない薬剤として、第四級アンモニウム塩、ノボビオシン、メチルナフトキノン、トリアジン、イソプラチオラン、イプロジオン、サイアベンダゾール等、天然植物系薬剤として、青森ヒバ油、エレミ油、ヒノキ樹木油、天然ヒノキチオール、シトロネラ精油、リーチライム精油、コバイバ油、ベチバー油、センブラ油、カテーフ等、天然鉱物系薬剤としてホウ酸、ホウ砂等が挙げられ、この中から所望の効果を有する薬剤を選択するのが好ましい。また、害虫および害獣の忌避効果を生じさせるという観点から、天然植物系薬剤を使用するのが好ましい。
【００１２】
脱酸素剤としては、有機系脱酸素剤、鉄系脱酸素剤ともに使用可能であり、例えば亜硫酸塩、亜硫酸水素塩、亜二チオン酸塩、ヒドロキノン、カテコール、レゾルシン、ピロガロール、没食子酸、ロンガリット、アスコルビン酸および／またはその塩、ソルボース、グルコース、リグニン、ジブチルヒドロキシトルエン、ジブチルヒドロキシアニソール、第一鉄塩、鉄粉等が挙げられる。
【００１３】
鋼板１４としては、例えばガルバニウム鋼板等のような従来公知の材料が使用可能である。断熱材１２の表面への鋼板１４の張り付けは、例えば、接着剤を用いるなど従来公知の手段によりなされる。
なお、断熱材１２の厚さＴは、例えば１０〜５００ｍｍであり、幅Ｗは、０．９〜２０ｍであり、長さＬは、０．５〜２０ｍである。また、鋼板１４の厚さは、例えば０．４〜５０ｍｍである。
【００１４】
本実施の形態１の鋼板張断熱パネル１０は、断熱材１２が、防虫剤、防カビ剤および脱酸素剤からなる群から選択された少なくとも１種を含有してなることを特徴としているので、鋼板張断熱パネルの一対の側面１２０４および端面１２０６側からの害虫および害獣の侵入を防止できるとともに、断熱材のカビの発生を有効に防止できる。
また、断熱材１２に防虫剤、防カビ剤および脱酸素剤のすべてを含有せしめる形態では、害虫および害獣の侵入の防止効果およびカビの発生の防止効果をさらに高めることができ、好ましい。
さらに、図３に示したように、脱酸素剤３２を断熱材１２中に包埋させることにより、害虫および害獣の忌避効果が生じ、またカビの抑制効果も生じ、好ましい。
【００１５】
実施の形態２
第２の実施の形態について説明する。
図２は、本発明の鋼板張断熱パネルの本実施の形態２を説明するための斜視図（Ａ）および分解斜視図（Ｂ）である。
本実施の形態２は、前記実施の形態１の鋼板張断熱パネルとほぼ同様の構成を有するが、断熱材の形態が異なっている。
すなわち、本実施の形態２では、図２（Ａ）に示すように、断熱材１２が、長さＬ方向において複数に分割された分割体２０で構成されている。
前記各分割体２０は、図２（Ｂ）に示すように、鋼板１４が取着される一対の側面２００２と、一対の側面２００２を接続し隣り合う前記分割体に合わされる一対の端面２００４と幅Ｗ方向の両端に位置する一対の側面２００６とを有している。
一対の端面２００４および一対の側面２００６には、虫、動物侵入防止手段としての虫、動物侵入防止網２２が取着されている。
また、一対の端面２００４が接着剤により接着されて断熱材１２が構成されている。
なお、断熱材１２の形成材料、サイズ、防虫剤、防カビ剤、脱酸素剤の種類およびこれらの好ましい形態は前記実施の形態１と同様である。
【００１６】
前記のように、本実施の形態２では、断熱材１２の一対の端面２００４および一対の側面２００６に、虫、動物侵入防止手段としての虫、動物侵入防止網２２が取着されている。網２２は、ネズミ等の害獣や害虫が網を通り抜けられない格子サイズとするのが好ましい。網２２の形成材料は公知の各種有機または無機繊維であることができるが、プラスチック、金属、木質材料からなる格子をあらかじめ作成しておき、これを端面２００４および側面２００６に設置することもできる。
また、虫、動物侵入防止手段として前記網２２に替えて、図示しない虫、動物侵入防止膜を採用することもできる。このような膜としては孔部をもたない連続した表面を有するプラスチックフィルムや布帛等が挙げられ、このような形態によれば、ネズミ等の害獣の侵入を防止できるばかりでなく、シラミ等のサイズの非常に小さい害虫の侵入も防止でき、好ましい。
なお、鋼板張断熱パネルの長手方向の端部を突き合わせて使用する形態の場合、その端部には、前記の網２２や虫、動物侵入防止膜を取着しなくてもよい。
【００１７】
以上説明した本発明の鋼板張断熱パネルは、建築物、とくに畜舎、食品を取り扱う工場や倉庫等の外壁材、内壁材および／または屋根材として使用することにより、害虫および害獣の侵入を防止できるとともに、断熱材のカビの発生も有効に防止できる。
【符号の説明】
【００１８】
１０……鋼板張断熱パネル、１２……断熱材、１４……鋼板、２０……分割体、２２……虫、動物侵入防止網、３２……脱酸素剤、１２０２……厚さＴ方向の両端に位置する一対の面、１２０４……側面、１２０６……端面、２００２……側面、２００４……端面、２００６……側面。
【図１】
2015074936.tif 000003
【図２】
2015074936.tif 000004
【図３】
2015074936.tif 000005